(57)【要約】【課題】従来から検討されていた防水対策に加えて、防油、防塵対策を施したバスダクト及びバスダクトの接続構造を提供する。【解決手段】  略コの字状の函体を対向するように接合され、対向させられた前記函体により形成された空間に複数の導体を収容するバスダクトにおいて、上方に配置される前記函体は、前記函体の幅方向に勾配が形成された上面部と、前記上面部の前記函体幅方向の端部から下方に延伸して形成された側面部と、を備えている。【選択図】      図１
2011030366.tif 000002
【特許請求の範囲】
【請求項１】
略コの字状の函体を対向するように接合され、対向させられた前記函体により形成され
た空間に複数の導体を収容するバスダクトにおいて、
上方に配置される前記函体は、
前記函体の幅方向に勾配が形成された上面部と、
前記上面部の前記函体幅方向の端部から下方に延伸して形成された側面部と、
を備えていること特徴とするバスダクト。
【請求項２】
前記上面部に形成された勾配は、前記函体幅方向の略中央が最も高くなるように形成さ
れていることを特徴とする請求項１に記載のバスダクト。
【請求項３】
前記上面部に形成された勾配は、一方の前記端部が最も高くなるように形成されている
ことを特徴とする請求項１に記載のバスダクト。
【請求項４】
前記上面部に形成された勾配は、湾曲していることを特徴とする請求項１〜３のいずれ
か１項に記載のバスダクト。
【請求項５】
前記上面部には、前記端部の側方にさらに導溝が形成されていることを特徴とする請求
項１〜４のいずれか１項に記載のバスダクト。
【請求項６】
前記導溝には、下方側に開口されている開口部が形成されていることを特徴とする請求
項５に記載のバスダクト。
【請求項７】
前記開口部は、前記導溝の長手方向の少なくともいずれか端部に形成されていることを
特徴とする請求項６に記載のバスダクト。
【請求項８】
前記上面部に形成された勾配は、前記函体幅方向の略中央が最も低くなるように形成さ
れていることを特徴とする請求項１に記載のバスダクト。
【請求項９】
請求項１から請求項７に記載のバスダクトをバスダクト長手方向に配置させられたバス
ダクトの接続構造において、
前記上面部に対応した形状であり、長手方向に配置されたそれぞれのバスダクト端部の
離間距離以上の幅を有する接続部材が前記バスダクトの接続部を覆うように配置されてい
ることを特徴とするバスダクトの接続構造。
【請求項１０】
請求項８に記載のバスダクトを長手方向に配置させられたバスダクトの接続構造におい
て、
複数の前記導体を上方から覆い、
長手方向に配置されたそれぞれのバスダクト端部の離間距離以上の幅を有する上辺部と
、
前記上辺部のバスダクト幅方向両端から下方に延伸された側辺部と、
前記上辺部および前記側辺部の幅方向両端部に外方に突出形成されたストッパーと、を
有する内部トレイと、
前記内部トレイが、バスダクト接続部の前記函体により形成された空間の一部に配置さ
れることを特徴とするバスダクトの接続構造。
【請求項１１】
前記上辺部は、バスダクト幅方向において略中央が最も高くなるように勾配が形成され
ていることを特徴とする請求項１０に記載のバスダクトの接続構造。
【発明の詳細な説明】
【技術分野】
【０００１】
本発明は、バスダクト及びバスダクトの接続構造に関する。
【背景技術】
【０００２】
高層ビル等の構造物では、電気幹線路を構成するためにバスダクトが使用されている。
このバスダクトは、複数のケーブルを束ねて配線する配線システムと比較して、火災など
の発生防止や漏洩磁束防止などに極めて優れた機能を有することから、工場施設やビルの
主電力供給ラインなどに広く用いられている。
【０００３】
そして、バスダクト及びバスダクトの接続部は、これらバスダクトを屋外に設置する場
合には、風雨に対応した防水構造とする必要があり、また、バスダクトを屋内に設置する
場合には、屋根等からの漏水や、ヒューム等による油、塵埃に対応した防油、防塵構造と
する必要がある。
【０００４】
図１１および図１２を用いて、従来のバスダクトの接続構造を説明する。図１１（ａ）
は、バスダクト９００の斜視図であり、略コの字状の函体９０１、９０２を対向するよう
に接合させ、函体９０１、９０２により形成された空間に複数の導体９０３が収容されて
いる。なお、導体９０３を把持、固定するための把持部材については、ここでは省略して
いる。また、図１１（ｂ）はバスダクト９００の断面図を示したものである。
【０００５】
図１２は、バスダクトの接続構造９１０を示している。バスダクトの接続構造９１０は
、２つのバスダクト９００をその長手方向に同一線上になるように配置し、同一線上に配
置したバスダクト９００の上側の函体９０１それぞれの端部を覆うように、接続部材９０
４が配置されている。接続部材９０４の形状は、上側の函体９０１の形状とほぼ対応する
構造となっており、さらに接続部材９０４の内側には、パッキン９０５が貼り付けられて
いる。
【０００６】
特許文献１には、上側ハウジング半体と下側ハウジング半体を防水パッキンを介して接
合させたバスダクトの防水構造が記載されており、上蓋、側板、下蓋で覆うような構造と
したバスダクト接続部の防水構造が記載されている。
【先行技術文献】
【特許文献】
【０００７】
【特許文献１】特開２００７−３００７３４号公報
【発明の概要】
【発明が解決しようとする課題】
【０００８】
しかしながら、従来のバスダクト９００は、上側の函体９０１の上面部分が完全に平滑
にできない場合や、バスダクトを配置する際、完全な水平が保てない状態で配置した場合
には、函体９０１の上面部分に落ちた漏水（水分）、ヒューム等等による油や一定量集ま
った塵埃等が函体９０１の上面部分に貯まったり、バスダクトの長手方向に移動し、経年
劣化し接続状態が悪くなった接続部材９０４部分からバスダクト内部に進入してしまった
りして、導体の絶縁破壊を引き起こす恐れがあった。
【０００９】
また、特許文献１では、バスダクトの接続部を、上蓋、側板、下蓋で覆うようにするこ
とによって、防水構造を実現させているが、複数の部材を使用するためコストが上がり、
組み立て工数も増えていた。また、風雨等の防水対策は記載されているものの、ヒューム
等による油や一定量集まった塵埃に対応した構造は記載されておらず、防油、防塵構造を
含めた提案が必要となっていた。
【００１０】
従って、本発明の目的は、従来から検討されていた防水対策に加えて、防油、防塵対策
を施したバスダクト及びバスダクトの接続構造を提供することにある。
【課題を解決するための手段】
【００１１】
本発明のバスダクトの態様は、略コの字状の函体を対向するように接合され、対向させ
られた前記函体により形成された空間に複数の導体を収容するバスダクトにおいて、上方
に配置される前記函体は、前記函体の幅方向に勾配が形成された上面部と、前記上面部の
前記函体幅方向の端部から下方に延伸して形成された側面部と、を備えていること特徴と
する。
【００１２】
本発明のバスダクトの別の態様は、前記上面部に形成された勾配は、前記函体幅方向の
略中央が最も高くなるように形成されていることを特徴とする。
【００１３】
本発明のバスダクトの別の態様は、前記上面部に形成された勾配は、一方の前記端部が
最も高くなるように形成されていることを特徴とする。
【００１４】
本発明のバスダクトの別の態様は、前記上面部に形成された勾配は、湾曲していること
を特徴とする。
【００１５】
本発明のバスダクトの別の態様は、前記上面部には、前記端部の側方にさらに導溝が形
成されていることを特徴とする。
【００１６】
本発明のバスダクトの別の態様は、前記導溝には、下方側に開口されている開口部が形
成されていることを特徴とする。
【００１７】
本発明のバスダクトの別の態様は、前記開口部は、前記導溝の長手方向の少なくともい
ずれか端部に形成されていることを特徴とする。
【００１８】
本発明のバスダクトの別の態様は、前記上面部に形成された勾配は、前記函体幅方向の
略中央が最も低くなるように形成されていることを特徴とする。
【００１９】
本発明のバスダクトの接続構造の態様は、略コの字状の函体を対向するように接合され
、対向させられた前記函体により形成された空間に複数の導体が収容され、上方に配置さ
れる前記函体は、前記函体の幅方向に勾配が形成された上面部と、前記上面部の前記函体
幅方向の端部から下方に延伸して形成された側面部と、を備えたバスダクトをバスダクト
長手方向に配置させられたバスダクトの接続構造において、前記上面部に対応した形状で
あり、長手方向に配置されたそれぞれのバスダクト端部の離間距離以上の幅を有する接続
部材が前記バスダクトの接続部を覆うように配置されていることを特徴とする。
【００２０】
本発明のバスダクトの接続構造の別の態様は、略コの字状の函体を対向するように接合
され、対向させられた前記函体により形成された空間に複数の導体が収容され、上方に配
置される前記函体は、前記函体の幅方向に勾配が形成された上面部と、前記上面部の前記
函体幅方向の端部から下方に延伸して形成された側面部と、を備えたバスダクトを長手方
向にさせられたバスダクトの接続構造において、複数の前記導体を上方から覆い、長手方
向に配置されたそれぞれのバスダクト端部の離間距離以上の幅を有する上辺部と、前記上
辺部のバスダクト幅方向両端から下方に延伸された側辺部と、前記上辺部および前記側辺
部の幅方向両端部に外方に突出形成されたストッパーと、を有する内部トレイと、前記内
部トレイが、バスダクト接続部の前記函体により形成された空間の一部に配置されること
を特徴とする。
【００２１】
本発明のバスダクトの接続構造の別の態様は、前記上辺部は、バスダクト幅方向におい
て略中央が最も高くなるように勾配が形成されていることを特徴とする。
【発明の効果】
【００２２】
本発明によると、簡単な構成により、屋根等からの漏水やヒューム等による油、一定量
集まった塵埃等をある決まった方向に誘導することによって、バスダクト内部への進入を
防止することが可能となり、より高い防水効果、そして、防油、防塵構造を実現すること
ができる。
【図面の簡単な説明】
【００２３】
【図１】本発明に係るバスダクトの第一の実施形態を示す斜視図および断面図である。
【図２】本発明に係る導溝の実施形態を示す断面図である。
【図３】本発明に係るバスダクトに電源分岐器具を接続したときの、側面図および正面図である。
【図４】本発明に係るバスダクトの別の実施形態を示す断面図である。
【図５】本発明に係るバスダクトの別の実施形態を示す断面図である。
【図６】本発明に係るバスダクトの接続構造の第一の実施形態を示す斜視図である
【図７】本発明に係るバスダクトの第二の実施形態を示す断面図である。
【図８】本発明に係るバスダクトの接続構造の第二の実施形態を示す斜視図および断面図である
【図９】本発明に係る内部トレイの斜視図である。
【図１０】本発明に係るバスダクトの接続構造の第二の実施形態の別の実施態様を示す断面図である。
【図１１】従来のバスダクトを示す斜視図および断面図である。
【図１２】従来のバスダクトの接続構造を示す斜視図である。
【発明を実施するための形態】
【００２４】
本発明の実施形態に係るバスダクト及びバスダクトの接続構造を、図１〜図１０を用い
て以下に説明する。なお、同一機能を有する各構成部については、図示及び説明簡略化の
ため、同一符号を付して示す。
【００２５】
図１は、本発明に係るバスダクトの第１の実施形態を示している。図１（ａ）は、バス
ダクト１００の斜視図であり、図１（ｂ）は、バスダクト１００の断面図である。バスダ
クト１００は、略コの字状の上方側函体１と下方側函体２を対向するように接合させ、対
向させた上方側函体１と下方側函体２により形成された空間に複数の導体３が収容されて
いる。なお、導体３を把持する把持部材はここでは省略している。
【００２６】
略コの字状の上方側函体１は、上面部４ａと上面部４ａの幅方向両端部から下方に延伸
して形成された側面部５を備えている。また、上面部４ａは、幅方向の略中央付近が最も
高くなるように勾配がつけられ、かつ湾曲して形成されている。そして、上面部４ａの幅
方向両端部の側方に、漏水やヒューム等による油、一定量集まった塵埃等を集める、断面
が略コの字状の導溝６が形成されている。
【００２７】
このように、上面部４ａに勾配をつけることによって、漏水やヒューム等による油、一
定量集まった塵埃等をバスダクト１００の幅方向の側方に誘導することによって、上方側
函体１の上面に貯まってしまうことを防止すると共に、漏水やヒューム等による油、一定
量集まった塵埃等がバスダクト１００の長手方向に移動し、長手方向に配置したバスダク
ト１００の接続部分からバスダクト内部に進入することを防止することが可能となる。
【００２８】
そして、バスダクト１００の幅方向の側方に誘導された漏水やヒューム等による油、一
定量集まった塵埃等は、落下することなく導溝６で集められることによって、簡単に排水
、回収することが可能となる。なお、導溝６はバスダクト１００の長手方向において、さ
らに勾配が設けられていることが好ましい。勾配を設けることで、さらに効率よく漏水や
ヒューム等による油、一定量集まった塵埃等を集めることが可能となる。
【００２９】
図２は、導溝６の他の態様の断面図を示したものである。図２（ａ）は導溝６の断面を
Ｕ字の形状にしたものであり、図２（ｂ）は、導溝６の断面をＶ字の形状にしたものであ
る。また、図２（ｃ）は、下方側函体２の側方にも上方側函体１に形成した導溝６より一
回り大きい導溝６を形成したものである。図２（ｄ）は図２（ｂ）のＶ字の深さを深くし
たものである。
【００３０】
このように、導溝６は漏水やヒューム等による油、一定量集まった塵埃等の種類により
、さまざまな形状とすることができ、さらに、図２（ｃ）、（ｄ）のような形状とするこ
とで、多量の漏水やヒューム等による油、多量に集まった塵埃等でも落下を防止すること
が可能となる。
【００３１】
次に、図３を用いて、バスダクト１００に電源分岐器具１４を接続させた状態について
説明する。図３（ａ）は、電源分岐器具１４を側面から示した図であり、図３（ｂ）は、
電源分岐器具１４を正面から示した図である。図３は、バスダクト１００の下方に、電源
分岐器具１４が接続され、電源分岐器具１４の内部に実装された開閉器１５により、図示
しない分岐線や、機器等に電源を分岐する構成となっている。
【００３２】
電源分岐器具１４のバスダクト断面方向の幅の大きさが、バスダクト１００の断面方向
の幅よりも大きい時、上方側函体１に、電源分岐器具１４がバスダクト１００の幅から出
た部分の長さ以上の幅を持つ導溝６を設けることで、万が一導溝６から漏水やヒューム等
による油、一定量集まった塵埃等がオーバーフローしてしまった場合でも、電源分岐器具
１４に直接触れないようにすることが可能となる。なお、電源分岐器具１４の具体例とし
ては、プラグイン器具やタップ器具などが考えられる。
【００３３】
図４、図５は、バスダクト１００の他の態様の断面図を示したものである。図４は、上
面部４ｂの幅方向の略中央付近が最も高くなるように直線的に勾配がつけられているもの
である。図５は上面部４ｃの幅方向の一方の端部が最も高くなるように直線的に勾配がつ
けられているものである。また、図４、５の勾配を湾曲させて形成することも可能である
。
なお、図４、５では、導溝６が省略されているが、図２のような導溝６を上面部４ｂ、４
ｃの幅方向のいずれか一方の端部の側方に形成することも可能である。特に図５について
は、導溝６を左端部に形成すれば良く、省スペース化が図れる。
【００３４】
次に、バスダクトの接続構造２００を、図６を用いて以下に説明する。図６は、２つの
バスダクト１００を長手方向に同一線上になるように配置したものであり、向かい合うバ
スダクト１００のそれぞれの上方側函体１端部を覆うように、接続部材７が配置されてい
る。
【００３５】
接続部材７は、上方側函体１の上面部４ａの形状に略対応した勾配を有する形状となっ
ており、長手方向に配置されたそれぞれのバスダクト端部離間の距離以上の幅を有してい
る。また、接続部材７の内側には、図示を省略している止水用部材が配置されている。止
水用部材としては、ゴム製のパッキン等を用いることが可能である。
また、接続部材７の勾配は、上面部４ａの勾配よりも大きいことが好ましい。接続部材７
の勾配を大きくすることによって、上面部４ａと接続部材７との接触圧力が高まり、より
高い止水効果を実現することが可能となる。さらに、接続部材７の上方側函体１の上面部
４ａを湾曲形成して勾配を実現させた場合には、接続部材７との接触面の接触圧力を均一
に加えることができ、特に止水効果を高くすることが可能となる。
【００３６】
さらに、導溝６の長手方向端部には、下方側に開口されている開口部８が形成され、開
口部８にはダクト９が接続されている。導溝６に集められた漏水やヒューム等による油、
一定量集まった塵埃等は、この開口部８とダクト９を通して、排水、回収されることとな
る。ここで、開口部８は導溝６の長手方向端部に限定されるものではないが、導溝６の長
手方向端部に形成することで、バスダクト接続施工の際の作業が簡易化される。また、開
口部８は導溝６の長手方向に複数設けても良く、開口部８が最も下になるように導溝６の
長手方向において勾配を設けることも可能である。
【００３７】
以上に説明したように、バスダクト１００の上面部４ａに勾配をつけることによって、
漏水やヒューム等による油、一定量集まった塵埃等をバスダクトの長手方向の側方に誘導
し、導溝６によって、漏水やヒューム等による油、一定量集まった塵埃等を効率良く集め
、さらに、導溝６に設けた開口部８および開口部８に接続されたダクト９を用いることに
よって、漏水やヒューム等による油、一定量集まった塵埃等を簡単に排水、回収すること
が可能となる。
【００３８】
次に、図７、図８を用いて、バスダクト及びバスダクトの接続構造の第二の実施例を説
明する。図７がバスダクト３００の断面図を示したものであり、図８（ａ）がバスダクト
３００の接続構造の斜視図であり、バスダクト接続部分の一部を切り欠いた図を示してい
る。また、図８（ｂ）は、図８（ａ）のＡ−Ａ面における断面図を示している。なお、同
一機能を有する各構成部については、図示及び説明簡略化のため、同一符号を付して示す
。
【００３９】
図７のバスダクト３００は、図１のバスダクト１００とは、上方側函体１の上面部４ｄ
の勾配の形成方法が異なっており、上面部４ｄは、上方側函体１の幅方向における略中央
が最も低くなるように形成されている。このように、上方側函体１の幅方向略中央が低く
なるように形成することによって、漏水やヒューム等による油、一定量集まった塵埃等を
バスダクト３００の上方側函体１の幅方向略中央に誘導することが可能となる。
【００４０】
図８（ａ）のバスダクトの接続構造４００には、２つのバスダクト３００を長手方向に
同一線上になるように配置したものであり、向かい合うバスダクト３００の上方側函体１
と下方側函体２により形成されたそれぞれの空間の一部に跨るように内部トレイ１０を配
置したものである。
【００４１】
また、図９に示すように、内部トレイ１０は、長手方向に配置されたそれぞれのバスダ
クト３００端部離間の距離以上の幅を有する上辺部１１と、上辺部１１のバスダクト幅方
向両端部から下方に延伸された側辺部１２と、上辺部１１および、側辺部１２の幅方向両
端部に外方に突出形成されたストッパー１３で形成されている。そして、上辺部１１は、
バスダクト幅方向において、略中央が最も高くなるように勾配が形成され、また、ストッ
パー１３は上方側函体１および、下方側函体２と複数の導体３との間の断面を埋めるよう
に、上辺部１１と２つの側辺部１２の幅方向両端部に垂直方向外方に突出するように形成
されている。
【００４２】
内部トレイ１０は、一方のバスダクト３００の上方側函体１と複数の導体３の間に、上
辺部１１の幅の半分程度が挿入されると共に、上辺部１１と２つの側辺部１２で形成され
た空間で、複数の導体３を覆うように配置される。また、他方のバスダクト３００を一方
のバスダクト３００の長手方向同一線上になるように配置した後、他方のバスダクト３０
０の上方側函体１と複数の導体３の間に、半分程度残っている上辺部１１を挿入すると共
に、他方のバスダクト３００の複数の導体３を残りの上辺部１１と２つの側辺部１２で覆
うように配置する。
【００４３】
このように、バスダクト３００の上方側函体１の幅方向略中央に誘導した漏水やヒュー
ム等による油、一定量集まった塵埃等を内部トレイ１０の上辺部１１で受け、側辺部１２
を経由することで、バスダクト３００の下方へ排水し、回収することが可能となる。ここ
で上辺部１１、側辺部１２の幅方向両端部に設けたストッパー１３によって、漏水やヒュ
ーム等による油、一定量集まった塵埃等が複数の導体３へ侵入することを防いでいる。
【００４４】
また、図１０に示すように、上方側函体１の側面部５を内側に段差が出来るように形成
し、また、ストッパー１３の側面部５と接する部分に、段差に対応する引掛け部１３ａを
設け、側面部５の段差に、引掛け部１３ａを引っ掛けるように把持させることで、より簡
単にバスダクトの接続構造４００を実現することが可能となる。
【００４５】
以上に説明したように、バスダクト３００の上面部４ｄに上方側函体１の幅方向におけ
る略中央が最も低くなるように勾配をつけることによって、漏水やヒューム等による油、
一定量集まった塵埃等をバスダクト３００の幅方向略中央に誘導し、誘導した漏水やヒュ
ーム等による油、一定量集まった塵埃等を、バスダクト３００の内部に配置した内部トレ
イ１０を使って、簡単に排水、回収することが可能となる。
【符号の説明】
【００４６】
１００、３００、９００  バスダクト
２００、４００、９１０  バスダクトの接続構造
１  上方側函体
２  下方側函体
３  導体
４  上面部
５  側面部
６  導溝
７  接続部材
８  開口部
９  ダクト
１０  内部トレイ
１１  上辺部
１２  側辺部
１３  ストッパー
１４  電源分岐器具
１５  開閉器
９０１、９０２  函体
９０３  導体
９０４  接続部材
９０５  パッキン
【図１】
2011030366.tif 000003
【図２】
2011030366.tif 000004
【図３】
2011030366.tif 000005
【図４】
2011030366.tif 000006
【図５】
2011030366.tif 000007
【図６】
2011030366.tif 000008
【図７】
2011030366.tif 000009
【図８】
2011030366.tif 000010
【図９】
2011030366.tif 000011
【図１０】
2011030366.tif 000012
【図１１】
2011030366.tif 000013
【図１２】
2011030366.tif 000014